(57)【要約】【課題】操作部が一つのツマミに集約されてデザイン性確保と単純化が図られるうえに、コンパクトで操作性のよい回転ボリューム付きジョグスイッチ構造を提供する。【解決手段】ジョグスイッチ操作とボリューム操作が同一部材で行われる形式のものにおいて、パネルの背面に十字状溝を有するスライドガイドを配設する一方、パネル後方にはタクトスイッチを有するスイッチ基板を固定し、前記パネルを貫通する回転軸を有するボリュームをマウントしかつボリュームの周囲に前記スライドガイドに嵌まる突起を設けたボリューム基板を前記スイッチ基板の前面側に傾動自在に支持させた。【選択図】図６
2007257852.tif 000002
【特許請求の範囲】
【請求項１】
ジョグスイッチ操作とボリューム操作が同一部材で行われる形式のものにおいて、パネルの背面に十字状溝を有するスライドガイドを配設する一方、パネル後方にはタクトスイッチを有するスイッチ基板を固定し、前記パネルを貫通する回転軸を有するボリュームをマウントしかつボリュームの周囲に前記スライドガイドに嵌まる突起を設けたボリューム基板を、前記スイッチ基板の前面側に傾動自在に支持させたことを特徴とする回転ボリューム付きジョグスイッチ構造。
【請求項２】
ボリューム基板の背面のタクト用電極が導電性緩衝部材によりスイッチ基板の電極と電気的に接続されていることを特徴とする請求項１に記載の回転ボリューム付きジョグスイッチ構造。
【発明の詳細な説明】
【技術分野】
【０００１】
本発明は回転ボリューム付きジョグスイッチ構造に関する。
【背景技術】
【０００２】
カーオーディオ、カーナビゲーションで代表される車載用音響機器あるいは音響映像機器においては、スイッチのオンオフやボリュームを調整したり、画像を上下してスクロールを行ったりする。こうした操作のための手段として、従来、図１のように回転操作部（ボリューム）Ａと方向操作部（ジョグ）Ｂが別操作部として配置されていた。
【０００３】
この構造では、操作部が２通り必要であることから場所の確保が必要であり、デザイン性の制約を受ける。また、操作者も操作部が２箇所にあることからまぎれて誤操作を起しやすい難点があった。
【０００４】
この対策として、先行技術においては、ジョグスイッチとボリュームを同一部材で操作できるようにした構造が提案されている。
この先行技術においては、後方部位に、前方に回転軸を突設した可変抵抗器を固定し、これと離間して前方に位置するパネルにタクトスイッチを９０度間隔に配し、タクトスイッチの中央の穴を通して操作ロッドを挿入し、これの先端と前記回転軸を自在継手で連結した構造を採用していた。
【０００５】
この構造では、位置固定の可変抵抗器に、先端に自在継手を持った回転軸が突設されており、その回転軸先端の自在継手に操作ロッドの後端連結し、操作ロッドを揺動させることにより前方でジョグを行うことから、かなり長尺の操作ロッドが必要となり、そのため操作パネルと機器本体との間隔が大きくなって奥行方向での大型化を招き、また長い操作ロッドであるため不安定要素が増し、操作感や操作の確実性が芳しくなくなるという問題があった。
【特許文献１】実公平４−４３９４０号公報
【発明の開示】
【発明が解決しようとする課題】
【０００６】
本発明は前記のような問題点を解消するためになされたもので、その目的とするところは、操作部が一つのツマミに集約されてデザイン性確保と単純化が図られるうえに、コンパクトで操作性のよい回転ボリューム付きジョグスイッチ構造を提供することにある。
【課題を解決するための手段】
【０００７】
上記目的を達成するため本発明は、ジョグスイッチ操作とボリューム操作が同一部材で行われる形式のものにおいて、パネルの背面に十字状溝を有するスライドガイドを配設する一方、パネル後方にはタクトスイッチを有するスイッチ基板を固定し、前記パネルを貫通する回転軸を有するボリュームをマウントしかつボリュームの周囲に前記スライドガイドに嵌まる突起を設けたボリューム基板を、前記スイッチ基板の前面側に傾動自在に支持させたことを特徴としている。
【発明の効果】
【０００８】
本発明によれば、回転操作とジョグ操作が一つのつまみで実行可能であるため、操作部がひとつに集約され、すっきりとしてスペース上有効となる。また、パネルの背面の十字状溝を有するスライドガイドにボリューム基板から突出する突起が嵌まってガイドされながらボリューム基板自体が傾動することでタクトスイッチの切換えが行われるので、操作軸系の長さが短くなり、操作感よく確実に操作力を伝達できると共に、回転操作とジョグ方向動作をひとつのつまみで行えるものでありながら奥行方向でスペースを大きく取らず、コンパクトなものとすることができる。
【発明を実施するための最良の形態】
【０００９】
本発明は、ボリューム基板の背面のタクト用電極が導電性緩衝部材によりスイッチ基板の電極と電気的に接続されている。
これによれば、ボリューム基板を傾動自在に支持する緩衝材が同時に通電手段を兼ねるので、部品数を少なくし、構造の簡易化を図ることができる。
【実施例１】
【００１０】
以下添付図面を参照して本発明の実施例を説明する。
図２ないし図６は本発明にかかる回転ボリューム付きジョグスイッチ構造の一実施例を示しており、１はカーオーディオ、ナビゲーションなど所望の機器本体、２は機器本体１の前面に取り付けられる操作パネルであり、所望の位置に正面十字状の操作用穴２０が設けられている。３は操作用穴の前面側に位置するつまみである。
前記機器本体１と操作パネル間には、スイッチ基板４と緩衝部材５とボリューム基板６がこの順序で配され、図５と６のように組みつけられている。
【００１１】
前記スイッチ基板４は機器本体１の前面に固定されるが、前記操作パネル２の操作用穴２０に対向する前面位置には、ジョグに相当する４個のタクトスイッチ７が９０度間隔で実装され、各タクトスイッチ７の近傍には４つの電極８が等間隔で配されている。
【００１２】
各緩衝部材５は前記スイッチ基板４の電極８に対峙する位置に配されている。緩衝部材５はゴムなどのチップなどでもよいし板ばねでもよいが、この例ではコイルばねが用いられている。また、実施例では通電手段も兼ねているため導電性材質で構成されている。
【００１３】
ボリューム基板６は、本体６Ａと支持部材６Ｂとを一体化してなり、本体６Ａ上に可変抵抗器からなるボリューム９を実装しており、ボリューム９の軸９０は前方に伸び、前記操作パネル２の操作用穴２０中心部から突出して前記つまみ３が固着されるようになっている。本体６Ａの裏面には前記スイッチ基板４の電極８に対応する間隔で４個の電極１０が配設されている。
【００１４】
支持部材６Ｂは合成樹脂成形品などからなり、前記電極１０にほぼ対応する位置から操作パネル方向に突出する４個の柱状突起６０と、それら各柱状突起６０の基部付近をつなぐ連結部６１を一体に有し、柱状突起６０の後端あるいは連結部６１をもって本体６Ａの表面に固着されている。
【００１５】
前記操作パネル２に背面側には、図４のように、操作用穴２０の周囲とりわけ各柱状突起６０の軸線方向に対応する関係をもって４個のスライドガイド２１が一体形成されている。各スライドガイド２１は、前記柱状突起６０とほぼ同じ幅を持った十字状溝２１０を有しており、各十字状溝２１０の底は外側に向かうほど高くなる斜面２１１が形成されている。
【００１６】
本発明は上記のような構成からなるので、図３の関係から緩衝部材５の前側にボリューム基板６を配し、ボリューム９の軸９０を操作パネル２の操作用穴中心部から突出させ、つまみ３を軸９０に固着する。この組付けにより、ボリューム基板６の柱状突起６０はそれぞれ対応するスライドガイド２１の十字状溝２１０に嵌まり、図５のように完成する。したがって組み立てが簡単である。
この状態では、ボリューム基板６は緩衝部材５から均等な付勢力で押圧され、柱状突起６０は先端が十字状溝２１０の中央部において溝底に接するので、タクトスイッチは押圧作動されない。
【００１７】
ジョグ操作を行うには、つまみ３を指でつまんで上下左右の所望方向に加力する。こうすれば、図６のように、加力に応じた方向にある柱状突起６０とこれと１８０度変位した位置にある柱状突起６０がスライドガイド２１の十字状溝２１０中を移動し、溝底の斜面２１１を登坂するごとく摺接する。柱状突起６０を備えた支持部材６Ｂは本体６Ａと一体であるから、ボリューム基板６は加力位置の緩衝部材５を相対的に強く押圧変形させ、したがってボリューム基板６は傾動され、スイッチ基板へ実装されている所定の７タクトスイッチを押して作動させる。
つまみ３に対する加力を解除したときには、緩衝部材５の復元作用で図５の状態に戻る。したがって、軽快かつ確実にジョグ操作を行うことができる。
なお、ボリュームを調整する場合には、つまみ３を回動すれば、軸９０が回転され、このときにも作用点と力点の距離が短いので円滑、確実に操作できる。
【００１８】
なお、実施例では緩衝部材５を導電性材料で構成し、タクトスイッチ基板４とボリューム基板６には緩衝部材５が設置されている位置に電極７，１０を設けているので、電気的な接続も容易である。しかし、本発明はこの態様に限定されるものではない。
【図面の簡単な説明】
【００１９】
【図１】従来のスイッチ構造の斜視図である。
【図２】本発明にかかる回転ボリューム付きジョグスイッチ構造の一実施例を示す斜視図である。
【図３】本発明スイッチ構造の分解斜視図である。
【図４】操作パネル背面側の斜視図である。
【図５】本発明スイッチ構造の常態を示す断面図である。
【図６】ジョグ操作時の状態を示す断面図である。
【符号の説明】
【００２０】
１  機器本体
２  操作パネル
３  つまみ
４  スイッチ基板
５  緩衝部材
６  ボリューム基板
６Ａ  本体
６Ｂ  支持部材
７  タクトスイッチ
８，１０  電極
９    ボリューム
２１  スライドガイド
【図１】
2007257852.tif 000003
【図２】
2007257852.tif 000004
【図３】
2007257852.tif 000005
【図４】
2007257852.tif 000006
【図５】
2007257852.tif 000007
【図６】
2007257852.tif 000008
【手続補正書】
【提出日】平成18年3月28日(2006.3.28)
【手続補正１】
【補正対象書類名】明細書
【補正対象項目名】００１８
【補正方法】変更
【補正の内容】
【００１８】
なお、実施例では緩衝部材５を導電性材料で構成し、タクトスイッチ基板４とボリューム基板６には緩衝部材５が設置されている位置に電極８，１０を設けているので、電気的な接続も容易である。しかし、本発明はこの態様に限定されるものではない。
【手続補正２】
【補正対象書類名】図面
【補正対象項目名】図３
【補正方法】変更
【補正の内容】
【図３】
2007257852.tif 000009